(57)【要約】      （修正有）【課題】狭小の土地に設置できる塀を提供する。【解決手段】塀の設置構造１１は、複数のプレキャストコンクリートパネル１４，１５を備える。第１のプレキャストコンクリート１４は、長尺横長の矩形平板状をなす第１のパネル本体１４０と、互いに横方向に間隔を空けて設けられ、第１のパネル本体を上下に貫通して第１のパネル本体の下端から突出して、複数の支柱１３の各々が挿入されていると共に第１のパネル本体の下端から突出している部分が基礎１２に埋没している円筒状の複数の第１の挿入部１４１と、を有する。第２のプレキャストコンクリートパネル１５は、長尺横長の矩形平板状をなす第２のパネル本体１５０と、互いに横方向に間隔を空けて設けられ、第２のパネル本体を上下に貫通していて、複数の支柱の各々が挿入されている円筒状の複数の第２の挿入部１５１と、を有し、他のプレキャストコンクリートの上に積み重ねられる。【選択図】図２
2020029678.tif 000002
【特許請求の範囲】
【請求項１】
長尺横長の矩形平板状をなす複数のプレキャストコンクリートパネルが塀として積み重ねられている構造であって、
互いに間隔を空けて地盤に形成されている複数の縦穴の各々に設けられている柱状の複数の基礎と、
前記複数の基礎の各々に立て付けられていて、互いに間隔を空けて地上に突出している円筒状又は円柱状の複数の支柱と、を備え、
前記複数のプレキャストコンクリートパネルとして、
長尺横長の矩形平板状をなす第１のパネル本体と、互いに横方向に間隔を空けて設けられ、前記第１のパネル本体を上下に貫通して前記第１のパネル本体の下端から突出していて、前記複数の支柱の各々が挿入されていると共に前記第１のパネル本体の下端から突出している部分が前記基礎に埋没している円筒状の複数の第１の挿入部と、を有している第１のプレキャストコンクリートパネルと、
長尺横長の矩形平板状をなす第２のパネル本体と、互いに横方向に間隔を空けて設けられ、前記第２のパネル本体を上下に貫通していて、前記複数の支柱の各々が挿入されている円筒状の複数の第２の挿入部と、を有し、他の前記プレキャストコンクリートパネルの上に積み重ねられている第２のプレキャストコンクリートパネルと、を備えていることを特徴とする
塀の設置構造。
【請求項２】
前記複数の支柱のうち、前記プレキャストコンクリートパネルの一方の側端の最近に立て付けられている１個の前記支柱は、他の前記支柱と比較して、地上に突出している部分の長さが長いものであることを特徴とする
請求項１に記載の塀の設置構造。
【請求項３】
前記複数の支柱のうち、相対的に前記プレキャストコンクリートパネルの一方の側端寄りに立て付けられている前記支柱は、相対的に前記プレキャストコンクリートパネルの他方の側端寄りに立て付けられている前記支柱と比較して、地上に突出している部分の長さが長いものであることを特徴とする
請求項２に記載の塀の設置構造。
【発明の詳細な説明】
【技術分野】
【０００１】
本発明は、塀の設置構造に関する。
【背景技術】
【０００２】
特許文献１には、Ｌ型ブロックを並べた塀が開示されている。この塀は、地盤に埋め込まれるフーチングがベタ基礎に固定されることで築造される。
【先行技術文献】
【特許文献】
【０００３】
【特許文献１】特開平１０−００１９５４号公報（図６及び図７参照）
【発明の概要】
【発明が解決しようとする課題】
【０００４】
このようなＬ型ブロックを並べた塀は、地盤に埋め込まれるフーチングが所定の幅を有しているので、狭小の土地に設置することができない。
【０００５】
本発明は、上記課題を鑑みてなされたものであり、狭小の土地に設置することができる塀の設置構造を提供することを目的とする。
【課題を解決するための手段】
【０００６】
（１）本発明は、長尺横長の矩形平板状をなす複数のプレキャストコンクリートパネルが塀として積み重ねられている構造であって、互いに間隔を空けて地盤に形成されている複数の縦穴の各々に設けられている柱状の複数の基礎と、前記複数の基礎の各々に立て付けられていて、互いに間隔を空けて地上に突出している円筒状又は円柱状の複数の支柱と、を備え、前記複数のプレキャストコンクリートパネルとして、長尺横長の矩形平板状をなす第１のパネル本体と、互いに横方向に間隔を空けて設けられ、前記第１のパネル本体を上下に貫通して前記第１のパネル本体の下端から突出していて、前記複数の支柱の各々が挿入されていると共に前記第１のパネル本体の下端から突出している部分が前記基礎に埋没している円筒状の複数の第１の挿入部と、を有している第１のプレキャストコンクリートパネルと、長尺横長の矩形平板状をなす第２のパネル本体と、互いに横方向に間隔を空けて設けられ、前記第２のパネル本体を上下に貫通していて、前記複数の支柱の各々が挿入されている円筒状の複数の第２の挿入部と、を有し、他の前記プレキャストコンクリートパネルの上に積み重ねられている第２のプレキャストコンクリートパネルと、を備えていることを特徴とする塀の設置構造である。
【０００７】
本発明によれば、互いに間隔を空けて地上に突出している複数の支柱に、互いに間隔を空けて設けられている複数の第１の挿入部を嵌めることで第１のプレキャストコンクリートパネルを配置することができる。同様に、互いに間隔を空けて地上に突出している複数の支柱に、互いに間隔を空けて設けられている複数の第２の挿入部を嵌めることで第２のプレキャストコンクリートパネルを配置することができる。このように、複数のプレキャストコンクリートパネルを積み重ねるだけで、塀を設置することができる。このため、狭小の土地であっても塀を設置することができる。
【０００８】
また、積み重ねるプレキャストコンクリートパネルの枚数を変更するだけで、塀の高さを調整することができる。
【０００９】
（２）本発明はまた、前記複数の支柱のうち、前記プレキャストコンクリートパネルの一方の側端の最近に立て付けられている１個の前記支柱は、他の前記支柱と比較して、地上に突出している部分の長さが長いものであることを特徴とする上記（１）に記載の塀の設置構造である。
【００１０】
上記発明によれば、互いに間隔を空けて地上に突出している複数の支柱のうち、地上に突出している部分の長さが最も長い支柱に、対応する第１の挿入部を嵌めてから、残りの支柱に残りの第１の挿入部を嵌めることで、第１のプレキャストコンクリートパネルを配置することができる。同様に、互いに間隔を空けて地上に突出している複数の支柱のうち、地上に突出している部分の長さが最も長い支柱に、対応する第２の挿入部を嵌めてから、残りの支柱に残りの第２の挿入部を嵌めることで、第２のプレキャストコンクリートパネルを配置することができる。このように、地上に突出している部分の長さが最も長い支柱を基準にして、残りの支柱に、対応する第１の挿入部又は第２の挿入部を嵌めることでプレキャストコンクリートパネルを配置することができ、複数の支柱に、対応する第１の挿入部又は第２の挿入部を同時に嵌める場合と比較して、プレキャストコンクリートパネルの配置作業が容易である。
【００１１】
（３）本発明はまた、前記複数の支柱のうち、相対的に前記プレキャストコンクリートパネルの一方の側端寄りに立て付けられている前記支柱は、相対的に前記プレキャストコンクリートパネルの他方の側端寄りに立て付けられている前記支柱と比較して、地上に突出している部分の長さが長いものであることを特徴とする上記（２）に記載の塀の設置構造である。
【００１２】
上記発明によれば、地上に突出している部分の長さが最も長い支柱を基準にして、残りの支柱に、対応する第１の挿入部又は第２の挿入部を順々に嵌めることでプレキャストコンクリートパネルを配置することができ、複数の支柱に、対応する第１の挿入部又は第２の挿入部を同時に嵌める場合と比較して、プレキャストコンクリートパネルの配置作業が更に容易である。
【発明の効果】
【００１３】
本発明の上記（１）〜（３）に記載の塀の設置構造によれば、狭小の土地に設置することができる。
【図面の簡単な説明】
【００１４】
【図１】本発明の第１実施形態に係る塀の設置構造を示す正面図である。
【図２】図１の塀の設置構造を示す分解正面図である。
【図３】図１の塀の設置構造を施工する方法の流れを説明するフローチャートである。
【図４】本発明の第２実施形態に係る塀の設置構造を示す分解正面図である。
【発明を実施するための形態】
【００１５】
以下、図面を参照して、本発明の実施形態に係る塀の設置構造１１，２１について詳細に説明する。
【００１６】
［第１実施形態］まず、図１及び図２を用いて、第１実施形態に係る塀の設置構造１１の構成について説明する。図１は、塀の設置構造１１を示す正面図である。図２は、塀の設置構造１１を示す分解正面図である。
【００１７】
図１及び図２に示す塀の設置構造１１は、長尺横長の矩形平板状をなす複数のプレキャストコンクリートパネル１４，１５が塀として積み重ねられている構造である。具体的に、塀の設置構造１１は、複数の基礎１２と、複数の支柱１３と、複数のプレキャストコンクリートパネル１４，１５と、等を備えている。
【００１８】
基礎１２は、地盤ＧＲの縦穴に設けられている柱状の基礎であり、地盤ＧＲの縦穴に充填された生コンクリート等の充填材が、支柱１３が立て付けられた後であってプレキャストコンクリートパネル１４の下端から突出している第１の挿入部１４１が埋没した後に固化したものである。複数の基礎１２は、互いに、プレキャストコンクリートパネル１４又は１５を上下に貫通している第１の挿入部１４１又は第２の挿入部１５１同士の間隔に応じた間隔を空けて設けられている。
【００１９】
支柱１３は、基礎１２の深さよりも長い長さを有していて、且つ、例えば４８．６ｍｍの外径寸法を有している円筒状の鋼管である。複数の支柱１３は、複数の基礎１２の各々に立て付けられていて、互いに間隔を空けて地上に突出している。複数の支柱１３の各々の地上に突出している部分には、第１のプレキャストコンクリートパネル１４を上下に貫通している第１の挿入部１４１が嵌められていると共に、第２のプレキャストコンクリートパネル１５を上下に貫通している第２の挿入部１５１が嵌められている。支柱１３の地上に突出している部分の長さは、塀として積み重ねられている複数のプレキャストコンクリートパネル１４，１５の枚数に応じて設定されている。
【００２０】
第１のプレキャストコンクリートパネル１４は、例えば４００ｍｍ×４０００ｍｍ×１５０ｍｍの寸法を有している。具体的に、第１のプレキャストコンクリートパネル１４は、第１のパネル本体１４０と、複数の第１の挿入部１４１と、を有している。第１のパネル本体１４０は、長尺横長の矩形平板状をなす。複数の第１の挿入部１４１は、互いに横方向に間隔を空けて設けられ、第１のパネル本体１４０を上下に貫通して第１のパネル本体１４０の下端から突出していて、複数の支柱１３の各々が挿入されていると共に第１のパネル本体１４０の下端から突出している部分が基礎１２に埋没している。
【００２１】
複数の第１の挿入部１４１の各々は、例えば７６．３ｍｍの外径寸法を有している円筒状の鋼管から構成されている。これら複数の第１の挿入部１４１の各々は、第１のパネル本体１４０の中に上下方向に沿うように埋め込まれていて、当該第１のパネル１４０の下端から突出していると共に当該第１のパネル１４０の上端から端部が露出している。そして、複数の第１の挿入部１４１の各々には、互いに間隔を空けて地上に突出している支柱１３が挿入されていて、その隙間がセメントグラウトで埋められている。
【００２２】
第２のプレキャストコンクリートパネル１５は、例えば４００ｍｍ×４０００ｍｍ×１５０ｍｍの寸法を有している。この第２のプレキャストコンクリートパネル１５は、他のプレキャストコンクリートパネル１４又は１５の上に積み重ねられている。具体的に、第２のプレキャストコンクリートパネル１５は、第２のパネル本体１５０と、複数の第２の挿入部１５１と、を有している。第２のパネル本体１５０は、長尺横長の矩形平板状をなす。複数の第２の挿入部１５１は、互いに横方向に間隔を空けて設けられ、第２のパネル本体１５０を上下に貫通していて、複数の支柱１３の各々が挿入されている。
【００２３】
複数の第２の挿入部１５１の各々は、例えば７６．３ｍｍの外径寸法を有している円筒状の鋼管から構成されている。これら複数の第２の挿入部１５１の各々は、第２のパネル本体１５０の中に上下方向に沿うように埋め込まれていて、当該第２のパネル本体１５０の下端及び上端から端部が露出している。そして、複数の第２の挿入部１５１の各々には、互いに間隔を空けて地上に突出している支柱１３が挿入されていて、その隙間がセメントグラウトで埋められている。
【００２４】
次に、図３を用いて、塀の設置構造１１を施工する方法について説明する。図３は、塀の設置構造１１を施工する流れを説明するフローチャートである。
【００２５】
図３に示すように、塀の設置構造１１を施工する方法は、支柱設置工程Ｓ１１と、第１のパネル配置工程Ｓ１２と、第２のパネル配置工程Ｓ１３と、等を備えている。
【００２６】
支柱設置工程Ｓ１１は、地盤ＧＲに複数の支柱１３を設置する工程である。この支柱設置工程Ｓ１１では、まず、プレキャストコンクリートパネル１４又は１５を上下に貫通している第１の挿入部１４１又は第２の挿入部１５１同士の間隔に応じた間隔を空けて、地盤ＧＲに複数の縦穴を形成する。そして、地盤ＧＲに形成した複数の縦穴に生コンクリート等の充填材を充填し、充填材が固化する前に、複数の縦穴の各々に支柱１３を立て付ける。
【００２７】
第１のパネル配置工程Ｓ１２は、支柱設置工程Ｓ１１で縦穴に充填した充填材が固化する前に、地盤ＧＲに設置されている複数の支柱１３を用いて第１のプレキャストコンクリートパネル１４を配置する工程である。この第１のパネル配置工程Ｓ１２では、まず、地上に突出している複数の支柱１３の各々に、複数の第１の挿入部１４１の各々を上方から嵌めると共に支柱設置工程Ｓ１１で縦穴に充填した充填材に第１のパネル本体１４０の下端から突出している複数の第１の挿入部１４１を埋没させることで第１のプレキャストコンクリートパネル１４を地上に配置する。そして、第１のプレキャストコンクリートパネル１４の上端から、複数の第１の挿入部１４１の各々と、当該複数の第１の挿入部１４１の各々に挿入されている複数の支柱１３の各々と、の隙間にセメントグラウトを流し込むことで、第１のプレキャストコンクリートパネル１４が複数の支柱１３に固定される。
【００２８】
第２のパネル配置工程Ｓ１３は、プレキャストコンクリートパネル１４又は１５の上に第２のプレキャストコンクリートパネル１５を積み重ねる工程である。この第２のパネル配置工程Ｓ１３では、まず、地上に突出している複数の支柱１３の各々に、複数の第２の挿入部１５１の各々を上方から嵌めることで第２のプレキャストコンクリートパネル１５を他のプレキャストコンクリートパネル１４又は１５の上に配置する。そして、第２のプレキャストコンクリートパネル１５の上端から、複数の第２の挿入部１５１の各々と、当該複数の第２の挿入部１５１の各々に挿入されている複数の支柱１３の各々と、の隙間にセメントグラウトを流し込むことで、第２のプレキャストコンクリートパネル１５が複数の支柱１３に固定される。これにより、複数のプレキャストコンクリートパネル１４，１５が積み重ねられる。
【００２９】
支柱１３の長さに応じてこれで施工を終了にするか（Ｓ１４でＹＥＳ）、あるいは、施工を続ける場合（Ｓ１４でＮＯ）には第２のパネル配置工程Ｓ１３に戻る。
【００３０】
このように、塀の設置構造１１によれば、互いに間隔を空けて地上に突出している複数の支柱１３に、互いに間隔を空けて設けられている複数の第１の挿入部１４１を嵌めることで第１のプレキャストコンクリートパネル１４を配置することができる。同様に、互いに間隔を空けて地上に突出している複数の支柱１３に、互いに間隔を空けて設けられている複数の第２の挿入部１５１を嵌めることで第２のプレキャストコンクリートパネル１５を配置することができる。このように、複数のプレキャストコンクリートパネル１４，１５を積み重ねるだけで、塀を設置することができる。このため、狭小の土地であっても塀を設置することができる。
【００３１】
また、積み重ねるプレキャストコンクリートパネル１４，１５の枚数を変更するだけで、塀の高さを調整することができる。
【００３２】
［第２実施形態］次に、図４を用いて、第２実施形態に係る塀の設置構造２１の構成について説明する。図４は、塀の設置構造２１を示す分解正面図である。なお、第１実施形態と同様の構成、作用及び効果についての説明は適宜省略する。
【００３３】
図４に示す塀の設置構造２１は、複数の支柱１３に代えて複数の支柱１３Ａ，１３Ｂを備えている点で、第１の実施形態と相違する。
【００３４】
複数の支柱１３Ａ，１３Ｂのうち、プレキャストコンクリートパネル１４，１５の一方の側端の最近に立て付けられている１個の支柱１３Ａは、他の支柱１３Ｂと比較して、地上に突出している部分の長さが長いものである。また、複数の支柱１３Ａ，１３Ｂのうち、相対的にプレキャストコンクリートパネル１４，１５の一方の側端寄りに立て付けられている支柱１３Ａは、相対的にプレキャストコンクリートパネル１４，１５の他端の側端寄りに立て付けられている支柱１３Ｂと比較して、地上に突出している部分の長さが長いものである。例えば、地上に突出している部分の長さは、支柱１３Ａが１２００ｍｍで、支柱１３Ｂが１１５０ｍｍである。
【００３５】
このように、塀の設置構造２１によれば、互いに間隔を空けて地上に突出している複数の支柱１３Ａ，１３Ｂのうち、地上に突出している部分の長さが最も長い支柱１３Ａに、対応する第１の挿入部１４１を嵌めてから、残りの支柱１３Ｂに残りの第１の挿入部１４１を嵌めることで、第１のプレキャストコンクリートパネル１４を配置することができる。同様に、互いに間隔を空けて地上に突出している複数の支柱１３Ａ，１３Ｂのうち、地上に突出している部分の長さが最も長い支柱１３Ａに、対応する第２の挿入部１５１を嵌めてから、残りの支柱１３Ｂに残りの第２の挿入部１５１を嵌めることで、第２のプレキャストコンクリートパネル１５を配置することができる。このように、地上に突出している部分の長さが最も長い支柱１３Ａを基準にして、残りの支柱１３Ｂに、対応する第１の挿入部１４１又は第２の挿入部１５１を嵌めることでプレキャストコンクリートパネル１４，１５を配置することができ、複数の支柱１３に、対応する第１の挿入部１４１又は第２の挿入部１５１を同時に嵌める第１実施形態の場合と比較して、プレキャストコンクリートパネル１４，１５の配置作業が容易である。
【００３６】
本発明は、上記各実施形態に限られるものではなく、その趣旨及び技術思想を逸脱しない範囲で種々の変形が可能である。すなわち、各構成の位置、大きさ、長さ、数量、形状、材質などは適宜変更できる。
【００３７】
例えば、上記各実施形態において、基礎１２、支柱１３，１３Ａ，１３Ｂ、第１の挿入部１４１、第２の挿入部１５１等の数量は、適宜変更してもよい。
【００３８】
具体的に、上記第２実施形態において、３個以上の支柱１３Ａ，１３Ｂ，…が立て付けられていてもよい。この場合、第１のプレキャストコンクリートパネル１４は、支柱１３Ａ，１３Ｂ，…の数に一致する数の第１の挿入部１４１を有していると共に、第２のプレキャストコンクリートパネル１５は、支柱１３Ａ，１３Ｂ，…の数に一致する数の第２の挿入部１５１を有している。
【００３９】
この場合においては、地上に突出している部分の長さが最も長い支柱１３Ａを基準にして、残りの支柱１３Ｂ，…に、対応する第１の挿入部１４１又は第２の挿入部１５１を順々に嵌めることでプレキャストコンクリートパネル１４，１５を配置することができ、複数の支柱１３に、対応する第１の挿入部１４１又は第２の挿入部１５１を同時に嵌める第１実施形態の場合と比較して、プレキャストコンクリートパネル１４，１５の配置作業が更に容易である。
【００４０】
あるいは、上記各実施形態において、支柱１３，１３Ａ，１３Ｂは、円筒状である場合を例に説明したが、本発明はこれに限定されず、支柱１３，１３Ａ，１３Ｂは、円柱状であってもよい。
【符号の説明】
【００４１】
１１，２１  塀の設置構造
１２  基礎
１３，１３Ａ，１３Ｂ  支柱
１４  プレキャストコンクリートパネル（第１のプレキャストコンクリートパネル）
１４０  第１のパネル本体
１４１  第１の挿入部
１５  プレキャストコンクリートパネル（第２のプレキャストコンクリートパネル）
１５０  第２のパネル本体
１５１  第２の挿入部
ＧＲ  地盤
Ｓ１１  支柱設置工程
Ｓ１２  第１のパネル配置工程
Ｓ１３  第２のパネル配置工程
【図１】
2020029678.tif 000003
【図２】
2020029678.tif 000004
【図３】
2020029678.tif 000005
【図４】
2020029678.tif 000006
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
長尺横長の矩形平板状をなす複数のプレキャストコンクリートパネルが塀として積み重ねられている構造であって、
互いに間隔を空けて地盤に形成されている複数の縦穴の各々に設けられている柱状の複数の基礎と、
前記複数の基礎の各々に立て付けられていて、互いに間隔を空けて地上に突出している円筒状又は円柱状の複数の支柱と、を備え、
前記複数のプレキャストコンクリートパネルとして、
長尺横長の矩形平板状をなす第１のパネル本体と、互いに横方向に間隔を空けて設けられ、前記第１のパネル本体を上下に貫通して前記第１のパネル本体の下端から突出していて、前記複数の支柱の各々が挿入されていると共に前記第１のパネル本体の下端から突出している部分が前記基礎に埋没している円筒状の複数の第１の挿入部と、を有している第１のプレキャストコンクリートパネルと、
長尺横長の矩形平板状をなす第２のパネル本体と、互いに横方向に間隔を空けて設けられ、前記第２のパネル本体を上下に貫通していて、前記複数の支柱の各々が挿入されている円筒状の複数の第２の挿入部と、を有し、他の前記プレキャストコンクリートパネルの上に積み重ねられている第２のプレキャストコンクリートパネルと、を備え、
前記複数の支柱のうち、前記プレキャストコンクリートパネルの一方の側端の最近に立て付けられている１個の前記支柱は、他の前記支柱と比較して、地上に突出している部分の長さが長いものであることを特徴とする
塀の設置構造。
【請求項２】
前記複数の支柱のうち、相対的に前記プレキャストコンクリートパネルの一方の側端寄りに立て付けられている前記支柱は、相対的に前記プレキャストコンクリートパネルの他方の側端寄りに立て付けられている前記支柱と比較して、地上に突出している部分の長さが長いものであることを特徴とする
請求項１に記載の塀の設置構造。
【手続補正２】
【補正対象書類名】明細書
【補正対象項目名】０００６
【補正方法】変更
【補正の内容】
【０００６】
（１）本発明は、長尺横長の矩形平板状をなす複数のプレキャストコンクリートパネルが塀として積み重ねられている構造であって、互いに間隔を空けて地盤に形成されている複数の縦穴の各々に設けられている柱状の複数の基礎と、前記複数の基礎の各々に立て付けられていて、互いに間隔を空けて地上に突出している円筒状又は円柱状の複数の支柱と、を備え、前記複数のプレキャストコンクリートパネルとして、長尺横長の矩形平板状をなす第１のパネル本体と、互いに横方向に間隔を空けて設けられ、前記第１のパネル本体を上下に貫通して前記第１のパネル本体の下端から突出していて、前記複数の支柱の各々が挿入されていると共に前記第１のパネル本体の下端から突出している部分が前記基礎に埋没している円筒状の複数の第１の挿入部と、を有している第１のプレキャストコンクリートパネルと、長尺横長の矩形平板状をなす第２のパネル本体と、互いに横方向に間隔を空けて設けられ、前記第２のパネル本体を上下に貫通していて、前記複数の支柱の各々が挿入されている円筒状の複数の第２の挿入部と、を有し、他の前記プレキャストコンクリートパネルの上に積み重ねられている第２のプレキャストコンクリートパネルと、を備え、前記複数の支柱のうち、前記プレキャストコンクリートパネルの一方の側端の最近に立て付けられている１個の前記支柱は、他の前記支柱と比較して、地上に突出している部分の長さが長いものであることを特徴とする塀の設置構造である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、互いに間隔を空けて地上に突出している複数の支柱のうち、地上に突出している部分の長さが最も長い支柱に、対応する第１の挿入部を嵌めてから、残りの支柱に残りの第１の挿入部を嵌めることで、第１のプレキャストコンクリートパネルを配置することができる。同様に、互いに間隔を空けて地上に突出している複数の支柱のうち、地上に突出している部分の長さが最も長い支柱に、対応する第２の挿入部を嵌めてから、残りの支柱に残りの第２の挿入部を嵌めることで、第２のプレキャストコンクリートパネルを配置することができる。このように、地上に突出している部分の長さが最も長い支柱を基準にして、残りの支柱に、対応する第１の挿入部又は第２の挿入部を嵌めることでプレキャストコンクリートパネルを配置することができ、複数の支柱に、対応する第１の挿入部又は第２の挿入部を同時に嵌める場合と比較して、プレキャストコンクリートパネルの配置作業が容易である。
【手続補正５】
【補正対象書類名】明細書
【補正対象項目名】００１１
【補正方法】変更
【補正の内容】
【００１１】
（２）本発明はまた、前記複数の支柱のうち、相対的に前記プレキャストコンクリートパネルの一方の側端寄りに立て付けられている前記支柱は、相対的に前記プレキャストコンクリートパネルの他方の側端寄りに立て付けられている前記支柱と比較して、地上に突出している部分の長さが長いものであることを特徴とする上記（１）に記載の塀の設置構造である。
【手続補正６】
【補正対象書類名】明細書
【補正対象項目名】００１３
【補正方法】変更
【補正の内容】
【００１３】
本発明の上記（１）及び（２）に記載の塀の設置構造によれば、狭小の土地に設置することができる。
【手続補正７】
【補正対象書類名】明細書
【補正対象項目名】００１４
【補正方法】変更
【補正の内容】
【００１４】
【図１】本発明の参考形態に係る塀の設置構造を示す正面図である。
【図２】図１の塀の設置構造を示す分解正面図である。
【図３】図１の塀の設置構造を施工する方法の流れを説明するフローチャートである。
【図４】本発明の実施形態に係る塀の設置構造を示す分解正面図である。
【手続補正８】
【補正対象書類名】明細書
【補正対象項目名】００１５
【補正方法】変更
【補正の内容】
【００１５】
以下、図面を参照して、参考形態及び本発明の実施形態に係る塀の設置構造１１，２１について詳細に説明する。
【手続補正９】
【補正対象書類名】明細書
【補正対象項目名】００１６
【補正方法】変更
【補正の内容】
【００１６】
［参考形態］まず、図１及び図２を用いて、参考形態に係る塀の設置構造１１の構成について説明する。図１は、塀の設置構造１１を示す正面図である。図２は、塀の設置構造１１を示す分解正面図である。
【手続補正１０】
【補正対象書類名】明細書
【補正対象項目名】００３２
【補正方法】変更
【補正の内容】
【００３２】
［本発明の実施形態］次に、図４を用いて、本発明の実施形態に係る塀の設置構造２１の構成について説明する。図４は、塀の設置構造２１を示す分解正面図である。なお、参考形態と同様の構成、作用及び効果についての説明は適宜省略する。
【手続補正１１】
【補正対象書類名】明細書
【補正対象項目名】００３６
【補正方法】変更
【補正の内容】
【００３６】
本発明は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【手続補正１２】
【補正対象書類名】明細書
【補正対象項目名】００３７
【補正方法】変更
【補正の内容】
【００３７】
例えば、上記実施形態において、基礎１２、支柱１３，１３Ａ，１３Ｂ、第１の挿入部１４１、第２の挿入部１５１等の数量は、適宜変更してもよい。
【手続補正１３】
【補正対象書類名】明細書
【補正対象項目名】００３８
【補正方法】変更
【補正の内容】
【００３８】
具体的に、上記実施形態において、３個以上の支柱１３Ａ，１３Ｂ，…が立て付けられていてもよい。この場合、第１のプレキャストコンクリートパネル１４は、支柱１３Ａ，１３Ｂ，…の数に一致する数の第１の挿入部１４１を有していると共に、第２のプレキャストコンクリートパネル１５は、支柱１３Ａ，１３Ｂ，…の数に一致する数の第２の挿入部１５１を有している。